(57)【要約】      （修正有）【課題】切り抜き孔によって絵模様が表現されたシートを簡単な構造で鉛直方向に支持しても、絵模様に変形が生じにくい壁飾りを提供する。【解決手段】遮光性のシートに、絵模様を形成する切り抜き孔を設けた絵柄シート１と、絵柄シート１の前面を覆う透明板２と、絵柄シート１の後方に設けられた蓄光シート３と、を有し、蓄光シート３は背面支持板４に貼り付けられている。これらは重ね合わされ、枠体５に支持される。絵柄シート１は、含浸材料が含浸された複数枚の和紙が張り合わされて遮光性を有するものである。含浸材料は、柿渋を用いる。また、絵柄シート１は、切り抜き孔の部分を含む全域に、透光性を有する薄い布、例えば紗が貼り合わされている。【選択図】図２
0003218903.tif 000002
【実用新案登録請求の範囲】
【請求項１】
遮光性のシートに、絵模様を形成する切り抜き孔を設けた絵柄シートと、
前記絵柄シートの後方に設けられ、蓄光性を有する層を備えるシート状又は板状の蓄光部材と、を有し、
前記絵柄シートは、含浸材料が含浸された複数枚の和紙が張り合わされたものであることを特徴とする壁飾り。
【請求項２】
遮光性のシートに、絵模様を形成する切り抜き孔を設けた絵柄シートと、
前記絵柄シートの後方に設けられ、発光する面を備えた発光部材と、を有し、
前記絵柄シートは、含浸材料が含浸された複数枚の和紙が張り合わされたものであることを特徴とする壁飾り。
【請求項３】
前記含浸材料は、柿渋であることを特徴とする請求項１又は請求項２に記載の壁飾り。
【請求項４】
前記絵柄シートは、切り抜き孔の部分を含む全域に、透光性を有する薄い布が貼り合わされていることを特徴とする請求項１から請求項３までのいずれかに記載の壁飾り。
【請求項５】
前記布は、絹織物の紗（しゃ）であることを特徴とする請求項４に記載の壁飾り。
【請求項６】
前記蓄光部材は、柔軟で透光性を有する合成樹脂のシートの背面に、蓄光顔料を含む層と、粘着層と、を積層した蓄光シートであり、
該蓄光シートは、前記絵柄シートの後方に支持される背面支持板上に貼り合わされていることを特徴とする請求項１に記載の壁飾り。
【考案の詳細な説明】
【技術分野】
【０００１】
本考案は、住宅や事務所等の壁に支持して観賞の対象とすることができる壁飾りに関するものである。
【背景技術】
【０００２】
切り絵等、絵模様を表現するように紙の形状を整えたり、切り抜きを設けたりしたものが、絵画等と同様に壁に掲げて鑑賞の対象とされる。一般に切り絵を壁飾りとして掲げるためには、透明なガラスや合成樹脂板に沿って支持したり、板状の部材によって周縁部を保持したりすることが行われている。また、切り絵を掲げることができる表示体として特許文献１及び特許文献２に記載されるものがある。
【先行技術文献】
【特許文献】
【０００３】
【特許文献１】特開２００７−２３００７２号公報
【特許文献１】特開２００２−１１２８７１号公報
【考案の概要】
【考案が解決しようとする課題】
【０００４】
しかしながら、切り絵状のシートを観賞用に掲げるものとして知られている従来の壁飾りには次のような解決が望まれる課題がある。
切り絵状にカットされたシートは、紙で形成されているために剛性が小さく変形が生じやすい。また、湿度の変化等によって伸びが生じることもある。このようなシートは面が鉛直となるように支持して掲げていると、長期間が経過するうちに重力によって変形が生じることがある。また、波打つように変形が生じることもある。
特に、背後から光を照射して絵模様を鮮明に表示しようとするものでは、光を照射する発行体の発熱等によって切り絵状のシートに変形が生じやすい。
【０００５】
本考案は、上記のような事情に鑑みてなされたものであり、その目的は、切り抜き孔によって絵模様が表現されたシートを簡単な構造で鉛直方向に支持しても、絵模様に変形が生じにくい壁飾りを提供することである。
【課題を解決するための手段】
【０００６】
上記課題を解決するために、請求項１に係る考案は、  遮光性のシートに、絵模様を形成する切り抜き孔を設けた絵柄シートと、  前記絵柄シートの後方に設けられ、蓄光性を有する層を備えるシート状又は板状の蓄光部材と、を有し、  前記絵柄シートは、含浸材料が含浸された複数枚の和紙が張り合わされたものである壁飾りを提供する。
【０００７】
この壁飾りでは、蓄光部材から発する光によって暗いときにも鮮明で幻想的な絵模様を観賞することができる。そして、蓄光部材によって、電源等を備えることなく永く絵柄を観賞することが可能となる。
また、絵柄シートは含浸材料が含浸されていることによって剛性を大きくし、変形が生じ難いものとすることができる。さらに、湿度の変化等があっても伸縮量を小さく抑えて波打つような変形を防止することができる。一方、含浸材料によって光透過性を小さくすることができ、鮮明な絵模様を観賞することができる。
【０００８】
請求項２に係る考案は、  遮光性のシートに、絵模様を形成する切り抜き孔を設けた絵柄シートと、  前記絵柄シートの後方に設けられ、発光する面を備えた発光部材と、を有し、  前記絵柄シートは、含浸材料が含浸された複数枚の和紙が張り合わされたものである壁飾りを提供する。
【０００９】
この壁飾りでは、発光部材から照射される光によって鮮明な絵模様を観賞することができる。そして、絵柄シートは含浸材料によって光透過性が小さくなっており、後方からの光が強いときにも鮮明な絵模様を観賞することができる。また、絵柄シートに含浸材料が含浸されていることによって変形が生じ難いものとなり、湿度の変化等があっても変形を防止することができる。
【００１０】
請求項３に係る考案は、  請求項１又は請求項２に記載の壁飾りにおいて、  前記含浸材料は、柿渋であるものとする。
【００１１】
この壁飾りで含浸材料として用いる柿渋は光に当たることによって色が濃くなり、和紙は遮光性を有するものとなる。また、和紙に含浸される柿渋によって複数の和紙を張り合わせることができる。
【００１２】
請求項４に係る考案は、請求項１から請求項３までのいずれかに記載の壁飾りにおいて、  前記絵柄シートは、切り抜き孔の部分を含む全域に、透光性を有する薄い布が貼り合わされているものとする。
【００１３】
この壁飾りでは、薄い布が貼り合わされることにより、絵柄シートの切り抜き孔が大きい場合や、細長い切り抜き孔が多数形成されているときにも、薄い布によって変形が拘束される。したがって、鉛直方向に長期間支持されていても変形が少なく、形成された絵柄がひずむことなく永く維持される。
【００１４】
請求項５に係る考案は、請求項４に記載の壁飾りにおいて、  前記布は、絹織物の紗（しゃ）であるものとする。
【００１５】
この壁飾りでは、和紙に重ねて紗が貼り合わされていることにより、切り抜き孔での投光性を阻害することが少なく、絵柄シートの変形が抑制されるとともに鮮明な絵柄の鑑賞が可能となる。
【００１６】
請求項６に係る考案は、請求項１に記載の壁飾りにおいて、  前記蓄光部材は、柔軟で透光性を有する合成樹脂のシートの背面に、蓄光顔料を含む層と、粘着層と、を積層した蓄光シートであり、  該蓄光シートは、前記絵柄シートの後方に支持される背面支持板上に貼り合わされているものとする。
【００１７】
この壁飾りでは、投光部材を簡単に、かつ廉価に製作することができるとともに、電源等を用いることなく後方から光照射される状態を維持することが可能となる。
【考案の効果】
【００１８】
以上説明したように、本考案の壁飾りでは、切り抜き孔によって絵模様が表現されたシートを簡単な構造で鉛直方向に支持しても変形が生じにくく、良好な状態で絵模様の鑑賞が可能な壁飾りとすることができる。
【図面の簡単な説明】
【００１９】
【図１】本考案の一実施形態である壁飾りの概略正面図である。
【図２】図１に示す壁飾りの周縁部の拡大断面図である。
【図３】図１に示す壁飾りで用いられる絵柄シートの拡大断面図である。
【図４】図１に示す壁飾りで用いられる絵柄シートの拡大正面図である。
【考案を実施するための形態】
【００２０】
以下、本考案の実施の形態を図に基づいて説明する。
図１は、本考案の一実施形態である壁飾りの正面図であり、図２は同じ壁飾りの一部拡大断面図である。
この壁飾りは、遮光性を有するシートに絵模様を形成する切り抜き孔が設けられた絵柄シート１と、この絵柄シート１の前面を覆うように当接される透明板２と、上記絵柄シートの背面側に当接して重ね合わされ、蓄光性を有する層を備えた蓄光シート３と、該蓄光シート３が貼り付けられた背面支持板４とを有し、これらの周縁部を枠体５によって保持したものである。
【００２１】
上記絵柄シート１は、図３に断面を拡大して示すように３枚の和紙１１を貼り合わせ、さらにこれに紗（しゃ）１２を貼り合わせたものである。和紙１１は柿渋を含浸させたものであり、含浸された柿渋の接着力によって貼り合わされている。紗１２は絵模様を形成する切り抜き孔１３が形成された後に貼り合わされたものであり、図３及び図４に示すように切り抜き孔１３の部分にも連続するものとなっている。切り抜き孔１３は鋭利な刃物を用いて切り抜くことができる。
含浸された柿渋は、青柿のしぼり汁を発酵させることによって生成されたものであり、時間の経過にともなって色が濃くなり、含浸された和紙１１は良好な遮光性を有するものとなる。
【００２２】
上記和紙１１に貼り合わされる紗１２は、細い絹糸を織った薄い布地であり、織った糸間に多くの空隙が存在し、和紙の切り抜き孔１３の部分で良好な透光性を有するものとなっている。なお、上記紗に代えて合成樹脂等の細い糸を網状に織ったものを用いることもできる。
【００２３】
蓄光シート３は、透明な合成樹脂シートの背面側に蓄光顔料の層を形成したものであり、さらに蓄光顔料の層に重ねて粘着層が形成されている。この粘着層の粘着力により、蓄光シート３が背面支持板４に貼り付けられている。背面支持板４は、合板、厚紙、合成樹脂板、繊維質を合成樹脂で固めた板材等を用いることができる。背面支持板４は、留め金具６によって透明板２、絵柄シート１とともに枠体５に保持される。枠体５は一般的な額縁を用いることができる。
【００２４】
上記透明板２は、アクリル樹脂等の透明な合成樹脂板、ガラス板等を用いることができる。この透明板２は、本実施の形態では、絵柄シート１と密着するように重ねて支持されているが、絵柄シート１と透明板の間に間隙を設けて支持してもよい。間隙を設けるときには、絵柄シート１の周縁部に当接するように間隙保持部材（図示しない）を介挿する。
【００２５】
このような壁飾りでは、壁に沿って支持しておくと、明るいときに蓄光シート３に蓄光され、暗くなってから蓄光シート３が光を発する。これにより、和紙１１に設けられた切り抜き孔１３の部分が柔らかい光を発し、絵模様を表現するものとなる。
【００２６】
一方、和紙１１には柿渋が含浸されており、柿渋の防水性によって湿度の変化等による影響を受けにくくなる。そして、柿渋の含浸によって和紙に硬さが付与され、変形しにくいものとなる。また、和紙１１には紗１２が貼り合わされているので、切り抜き孔１３の寸法が大きくなったり、切り抜き孔１３の部分の面積率が大きくなったりしたときにも、絵柄シート１の変形は生じにくく、形状を維持することができる。したがって、絵柄シート１がほぼ鉛直となる状態で壁に支持され、長期間この状態が維持されるときにも、絵柄がゆがむような変形は抑制される。特に、絵柄シート１の全面で透明板２と背面支持板４との間の圧接力が作用していない状態で鉛直に支持されていても有効に変形が抑止され、波打つような変形も抑えられる。
【００２７】
上記実施の形態では、蓄光シートと絵柄シートとを重ねて支持するものとしているが、絵柄シートは蓄光シートと貼り合わせることもできる。また、上記蓄光シート３に代えて、板状の部材に蓄光顔料を含む塗料を塗布した蓄光部材等を用いることもできる。一方、蓄光部材に代えて発光部材を用いることもできる。発光部材は、例えば背面支持板上に発光素子を配置し、発光させるものを採用することができる。発光素子は、ＥＬ（エレクトロルミネッセンス）素子、ＬＥＤ（発光ダイオード）等を用いることができる。
【００２８】
なお、以上に説明した壁飾りは、本考案の実施の形態であって、これらに限定されるものではない。例えば、絵柄シートと蓄光部材とを支持する態様は適宜に設計することができる。図１及び図２に示すように絵柄シート１の周縁の全域を囲む枠体５に代えて、周縁部の複数の位置で絵柄シートと蓄光部材とを保持するものであってもよい。
また、絵柄シートと蓄光部材又は発光部材との間に間隙を設けて支持するものであってもよい。このような間隙を設けて支持するときには、透明板と絵柄シートとの間に間隙を設けて支持するときと同様に、絵柄シートを２つの部材間に挟み込むように支持することはできないが、本考案で使用する絵柄シートでは、有効に変形を抑制することが可能となっている。
【符号の説明】
【００２９】
１：絵柄シート，  ２：透明板，  ３：蓄光シート，  ４：背面支持板，  ５：枠体，  ６：留め金具，
１１：和紙，  １２：紗，  １３：切り抜き孔
【図１】
0003218903.tif 000003
【図２】
0003218903.tif 000004
【図３】
0003218903.tif 000005
【図４】
0003218903.tif 000006